(57)【要約】【課題】特殊な装置を用いなくても簡単によろけ縞の織布を作成できる、生産性の高い筬を提供する。【解決手段】上縁金４、及び上縁金４に対して略並行に配置された下縁金５を有する縁金２と、上縁金４と下縁金５との間に配置された複数の板状の筬羽３とから構成される筬１で、筬羽３は、上縁金４と接続され、上縁金４から略垂直な方向に延設されている第一垂直部と、第一垂直部から屈折し、上縁金４に対して傾斜して延設されている傾斜部と、傾斜部から屈折し、下縁金５に垂直に接続されている第二垂直部と、から構成される第一筬羽を有し、第一垂直部は、互いに隣接する筬羽３の第一垂直部に対して平行に、且つ、所定の第一間隔を介して配置され、第二垂直部は、互いに隣接する筬羽３の第二垂直部に対して平行に、且つ、第一間隔とは異なる第二間隔を介して配置されている。【選択図】図１
0003131505.tif 000002
【実用新案登録請求の範囲】
【請求項１】
上縁金、及び該上縁金に対して略並行に配置された下縁金を有する縁金と、前記上縁金と前記下縁金との間に配置された複数の板状の筬羽とから構成される筬で、
前記筬羽は、前記上縁金と接続され、前記上縁金から略垂直な方向に延設されている第一垂直部と、該第一垂直部から屈折し、前記上縁金に対して傾斜して延設されている傾斜部と、該傾斜部から屈折し、前記下縁金に垂直に接続されている第二垂直部と、から構成される第一筬羽を有し、
前記第一垂直部は、互いに隣接する筬羽の前記第一垂直部に対して平行に、且つ、所定の第一間隔を介して配置され、前記第二垂直部は、互いに隣接する筬羽の前記第二垂直部に対して平行に、且つ、前記第一間隔とは異なる第二間隔を介して配置されていることを特徴とする筬。
【請求項２】
前記第一垂直部が、互いに隣接する筬羽の前記第一垂直部に対して平行に、且つ、前記第二間隔を介して配置され、前記第二垂直部が、互いに隣接する筬羽の前記第一垂直部に対して平行に、且つ、所定の第一間隔を介して配置されている第二筬羽をさらに有し、
複数の前記第一筬羽と、複数の前記第二筬羽とは、互いに交互に配置されていることを特徴とする請求項１に記載の筬。
【請求項３】
前記筬羽は金属製であることを特徴とする請求項１または請求項２に記載の筬。
【考案の詳細な説明】
【技術分野】
【０００１】
本考案は、筬に関するものであり、特に、自動織機や手織り機に用いられる筬に関するものである。
【背景技術】
【０００２】
従来、織物では、筬（おさ）という道具が用いられてきた。筬とは、筬羽と呼ばれる複数の板状部材が所定の間隔で並べられている道具である。なお、織物には、その織り方によって幾つかの種類が存在するが、代表的な３つの織り方として、「平織り」、「斜文織」、「朱子織」が知られている。
【０００３】
ここで、平織りを例に挙げて、織物について簡単に説明する。平織りは、経糸（たていと）と緯糸（よこいと）とが交互に交差する織り方である。まず、必要とされる布の幅に応じて複数の経糸が張られ、綜絖と呼ばれる装置のヘルドという穴に糸が通される。糸は、さらに筬羽の間に一本ずつ通される。そして、綜絖を動作させると、例えば左から数えて偶数番目の糸がまとめて上に持ち上げられ（これを「上糸」（うわいと）という）、奇数番目の糸がまとめて下に押し下げられる（これを「下糸」（したいと）という）。このようにして、上糸と下糸との２層に分けられた糸の間に、杼（ひ）という道具を用いて緯糸を通す。杼は、下糸の上を滑るようにして左右に走り、緯糸を配置する。配置した緯糸は、筬を押し当てて所定の位置に整列させる。次に綜絖が動作すると、今度は上糸と下糸とが位置を入れ替える。つまり、前記の偶数番目の糸が下糸になり、奇数番目の糸が上糸となる。そして杼を走らせて、緯糸を配置する。以上の動作を繰り返すことで、経糸と緯糸とが交互に交差する平織物が作成される。
【０００４】
一方、平織りの柄の一つとして、「よろけ縞」という模様が知られている。よろけ縞とは、図４に示すように、経糸が左右に曲線的にゆれて立湧模様５０を表すものである。なお、経糸とは、図４においては矢印Ｔの方向に配置された糸であり、緯糸とは矢印Ｙの方向に配置された糸である。このような立湧模様５０を作成するためには、筬羽が均等な間隔で並べられた通常の筬ではなく、図５及び図６に示すような特殊なよろけ筬５１が用いられてきた。よろけ筬５１は、立湧模様５０を作成するための特殊な筬であり、上端側５２が広く開いて下端側５３が狭く閉じるように扇形に並んだ複数の筬羽５６と、下端側５３が広く開いて上端側５２が狭く閉じて並べられた複数の筬羽５９とが交互に並んで配置されたものである。西陣では、八の字形の筬羽を割り付けるという意味で「八割筬」とも呼ばれている。よろけ筬５１の使い方としては、筬羽５６の上側エリア５４と下側エリア５５とを、緯糸を筬で整列させる場合において交互に入れ替えながら上下動させ、使用する。これにより、経糸が筬羽５６，５９の広がり具合に応じて押し広げられたり、狭められたりしてその密度を変え、立湧模様５０を織り成していく。
【考案の開示】
【考案が解決しようとする課題】
【０００５】
ところで、よろけ筬５１には、以下に掲げる問題があった。すなわち、筬羽５６，５９が扇状に、つまり八の字形に並べられていることにより、例えば図５の拡大部分（一点差線円内）に示すように、隣接する筬羽５９間等の隙間Ｓが極めて狭くなる箇所が存在した。これにより、経糸が隙間Ｓの中に入り込み、引っかかってしまうことで、よろけ筬５１をスムーズに上下させることが困難になる場合があった。
【０００６】
図６は、よろけ筬５１から下糸を引き出した状態を示している。説明のために、上糸は図示を省略している。より詳細には図６に示すように、よろけ筬５１から引き出された下糸が隙間Ｓ（図５参照）に引っかかり、整列位置の高さが不揃いになるという問題があった。例えば図６の拡大部分（一点鎖線円内）に示すように、よろけ筬５１の上端側５２または下端側５３に近い部分にある隙間は、筬羽５６，５９が八の字形に並べられているために、経糸５７の直径よりも狭くなっている（隙間Ｓ）場合がある。このため、隙間Ｓに接近した経糸５７がはまり込んで抜け難くなることがあり、所定の整列位置Ｐに戻らなくなる場合があった。
【０００７】
このような場合には、はまり込んだ経糸５７が引っかかってブレーキとなり、よろけ筬５１をスムーズに上下動させることが困難となった。また、経糸５７が引っ掛かった状態で無理によろけ筬５１を上下動させると、糸に無理な力がかかって糸切れの原因となる場合もあった。さらに、矢印Ｒに示すように、整列位置Ｐに下糸が揃わないことにより、杼が下糸上をスムーズに走らなくなる。これにより、生産性が著しく低下するという問題点があった。
【０００８】
そこで、伏せ（ふみせ）と呼ばれる特殊な装置を用いて、経糸５７を強制的に整列位置Ｐに整列させることも行われていたが、かかる装置は高価であることに加え、装置の調整や操作には比較的手間がかかり、生産性の向上としては十分とは言えなかった。
【０００９】
そこで、本考案は、上述の問題に鑑み、特殊な装置を用いなくても簡単によろけ縞の織布を作成できる、生産性の高い筬を提供することを課題とする。
【課題を解決するための手段】
【００１０】
本考案に係る筬は、「上縁金、及び該上縁金に対して略並行に配置された下縁金を有する縁金と、前記上縁金と前記下縁金との間に配置された複数の板状の筬羽とから構成される筬で、前記筬羽は、前記上縁金と接続され、前記上縁金から略垂直な方向に延設されている第一垂直部と、該第一垂直部から屈折し、前記上縁金に対して傾斜して延設されている傾斜部と、該傾斜部から屈折し、前記下縁金に垂直に接続されている第二垂直部と、から構成される第一筬羽を有し、前記第一垂直部は、互いに隣接する筬羽の前記第一垂直部に対して平行に、且つ、所定の第一間隔を介して配置され、前記第二垂直部は、互いに隣接する筬羽の前記第二垂直部に対して平行に、且つ、前記第一間隔とは異なる第二間隔を介して配置されている」ことを特徴とする。
【００１１】
ここで、「筬羽」の材質としては、特に限定するものではなく、例えば、竹等の木材を利用したものでも良いし、鉄やステンレス鋼等の金属材料を利用したものでも良い。また、合成樹脂を用いたものでも良いが、竹若しくはステンレス鋼を用いる場合が一般的である。
【００１２】
また、「所定の第一間隔」における「所定」とは、織り上げる布の仕様、つまり糸の太さに応じて設定される。但し、筬羽の間には糸を通す必要があるから、少なくとも仕様に準じた糸の直径よりは広い間隔であることが要求される。なお、本考案によれば、「第二間隔」は「第一間隔」とは異なる間隔であり、「第一間隔」よりも狭い間隔か、若しくは広い間隔を示すが、例えば「第一間隔の２倍の距離である第二間隔」のように、第一間隔と第二間隔との差が顕著に分かる程度に互いに異なっている方が、より好適である。
【００１３】
本考案の筬は、一対の縁金（上縁金と下縁金）と、その間に配置された複数の筬羽とから構成されるものである。筬羽は、第一垂直部、屈折部、及び第二垂直部から構成される第一筬羽を有している。第一垂直部は、上縁金に対して垂直に接続されている。屈折部は、第一垂直部から屈折し、上縁金に対して傾斜して延設されている。第二垂直部は、屈折部から下縁金に向って垂直に屈折され、接続されている。そして、互いに隣接する筬羽間同士は、第一垂直部において所定の第一間隔を介し、且つ互いに平行に配置されている。さらに、第二垂直部においては、第一間隔とは異なる第二間隔を介し、互いに平行に配置されている。
【００１４】
従って、本考案の筬によれば、複数の第一筬羽は、第一垂直部と第二垂直部とを有している。これにより、第一間隔と第二間隔という互いに異なる間隔を介して配置された部位があるので、これら（第一垂直部と第二垂直部）を交互に入れ替えながら緯糸を整列させれば、その広さの違いで経糸の配置間隔を不均一にすることができる。これにより、経糸の配置間隔が縦方向で変化していく「よろけ縞」を作成することが可能となる。
【００１５】
また、本考案の筬では、複数の第一筬羽は、縁金と接続される部位、つまり第一垂直部と第二垂直部とにおいて、互いに平行に配置されている。つまり、従来のよろけ筬のように、縁金の付近の八の字形に狭まった隙間が存在しないので、経糸が引っ掛かることなくスムーズに上下動する。これにより、糸切れの心配の少ない筬が提供できる。しかも、経糸が引っ掛からないことにより所望の整列位置に揃いやすく、伏せのような特殊な装置を必要としない。従って、織布の生産性が大幅に向上する。
【００１６】
また、本考案の筬において、「前記第一垂直部が、互いに隣接する筬羽の前記第一垂直部に対して平行に、且つ、前記第二間隔を介して配置され、前記第二垂直部が、互いに隣接する筬羽の前記第一垂直部に対して平行に、且つ、所定の第一間隔を介して配置されている第二筬羽をさらに有し、複数の前記第一筬羽と、複数の前記第二筬羽とは、互いに交互に配置されている」ものとしても良い。
【００１７】
本考案の筬は、複数の第一筬羽に加え、さらに複数の第二筬羽を有している。第二筬羽は、第一筬羽とは上下逆の配置であり、つまり、第一垂直部において、互いに隣接する筬羽の第一垂直部との間隔が第二間隔を介しており、第二垂直鵜部において、互いに隣接する筬羽の第一垂直部との間隔が第一間隔を介している。そして、複数の第一筬羽と複数の第二筬羽とは、互いに交互に配置されている。
【００１８】
なお、ここで、第一筬羽と第二筬羽との枚数である「複数」とは、二枚以上であればその枚数は特に限定されない。また、第一筬羽と第二筬羽との枚数は同じであっても良いし、異なっていても良い。作成したいよろけ縞の模様に応じて、作製者が任意に選択することができる。
【００１９】
従って、本考案の筬によれば、複数の第一筬羽によって描かれる縞模様と、複数の第二筬羽によって描かれる別の縞模様との複数の縞模様のある織布を作成することができる。これにより、縞模様が一本である場合とは異なる意匠の織布を作成できる。
【００２０】
また、本考案の筬において、「前記筬羽は金属製である」ものとしても良い。
【００２１】
本考案によれば、筬羽は金属を主原料として作成されている。これにより、第一間隔や第二間隔などのピッチの設定が狂い難く、精度の高い筬を作成することができる。特に、本考案の筬によれば、第一筬羽や第二筬羽は屈折部を有している。ここで、仮に自然材料である竹を主原料に適用すると、屈折角度が正確に定まらなかったり、使用しているうちに屈折部分から破断して筬が破損する虞がある。これに対し、本考案の筬によれば、金属製の筬羽を適用するため、精度が高くできることに加え破損の虞も軽減する。従って、より精度が高く、且つ耐久性に優れる筬を提供できる。
【考案の効果】
【００２２】
以上のように、本考案の筬によれば、複数の第一筬羽は、第一垂直部及び第二垂直部において、縁金に対して垂直に、且つ互いに平行に配置されている。これにより、縁金との接続部付近において八の字形に狭まった隙間が存在しないので、経糸が引っ掛かることなくスムーズに上下動する。また、伏せのような特殊な装置を用いなくても経糸が所望の整列位置に揃いやすいので、織布の生産性が大幅に向上する。
【考案を実施するための最良の形態】
【００２３】
以下、本考案の実施形態である筬１について、図１乃至４に基づき説明をする。図１は本実施形態における筬１の正面図、図２は図１の一部を拡大した拡大図、図３は筬１の使用状態を説明する説明図、図４はよろけ縞を説明する説明図である。
【００２４】
本実施形態の筬１は、図１に示すように、一対の縁金２と、一対の縁金２間に配置された複数の板状の筬羽３とから構成されている。筬羽３は、幅が約２．５ｍｍ、厚みが約０．２ｍｍのステンレス製の板材で構成されており、その長さは屈折角度によって様々に異なるが、上縁金４から下縁金５（詳細は後述する）までの垂直な距離Ｌが約１８．５ｍｍで形成されている。なお、図２は、図１の一点鎖線円内を拡大した拡大図であるが、ここで、筬羽３は、厚み方向が図の正面に現れており、図２の奥行き方向に向って筬羽３の幅方向が配置されている状態が示されている。
【００２５】
縁金２は、上縁金４と、上縁金４に対して略並行に配置された下縁金５とから構成されている。材質としては、本例ではステンレス鋼を採用しているが、この他、合成樹脂や他の金属、木材等その材質は特に限定されない。但し、本例では、詳細は後述する筬羽３と同種の金属を適用しているから、筬１の作成工程がシンプルになると共に頑丈な筬１を提供できるという作用効果を有している。
【００２６】
筬羽３は、より詳細には図２に示すように、複数の第一筬羽６と、複数の第二筬羽７とを有して構成されている。また、複数の第一筬羽６と複数の第二筬羽７とは交互に配置されている。
【００２７】
第一筬羽６は、上縁金４と接続され、上縁金４からす異直な方向に延設されている第一垂直部８と、第一垂直部８から屈折し、上縁金４に対して傾斜して延設されている傾斜部９と、傾斜部９から屈折し、下縁金５に垂直に接続されている第二垂直部１０とから構成されている。
【００２８】
第一筬羽６の第一垂直部８は、互いに隣接する他の第一筬羽６の第一垂直部８に対して略平行な状態で、且つ、他の第一垂直部８との間隔が約０．８ｍｍ（第一間隔１１）となるように配置されている。また、第二垂直部１０は、互いに隣接する他の第一筬羽６の第二垂直部１０に対して略並行な状態で、且つ、他の第二垂直部１０との間隔が１．８ｍｍ（第二間隔１２）となるように配置されている。つまり、第一筬羽６は、第一垂直部８から第二垂直部１０とで、隣接する筬羽３との間隔が０．８ｍｍから１．８ｍｍへと拡大しているので、傾斜部９において屈折して形成されている。換言すれば、傾斜部９が傾斜していることによって、第一垂直部８と第二垂直部１０とは互いに異なる間隔を介していながら、且つ垂直な状態を維持して配置されている。
【００２９】
第二筬羽７は、第一筬羽６とは上下逆の形で配置されている。つまり、第二筬羽７の第一垂直部８は、互いに隣接する他の第一筬羽７の第一垂直部８に対して略並行な状態で、且つ、他の第一垂直部８との間隔が１．８ｍｍ（第二間隔１２）となるように配置されている。そして、第二筬羽７の第二垂直部１０は、互いに隣接する他の第二筬羽７の第二垂直部１０に対して略平行な状態で、且つ、他の第二垂直部１０との間隔が約０．８ｍｍ（第一間隔１１）となるように配置されている。そして、複数の第一筬羽６と複数の第二筬羽７とは、互いに交互に配置されている。
【００３０】
次に、筬１を用いて、よろけ縞模様の織布６０を作成する方法を説明する。なお、本例では手織りの機織り機について筬１を適用する場合を例示している。筬１の使用方法については、従来のよろけ筬５１と同様である（但し、伏せは使用しない）。つまり、綜絖（図示しない）に仕掛けられた経糸を、複数の筬羽３間の間に一本づつ通していく。綜絖には、経糸が一本置き、例えば左から数えて偶数番目の経糸が一つのグループとしてまとめられており、奇数本目の経糸が別の一グループとしてまとめられ、仕掛けられている。それらのグループは、互いに上糸と下糸として上下２層に分けられ、筬１の筬羽３間に通される。経糸は、ここでは第一筬羽６及び第二筬羽７の第一垂直部８に通しておく。
【００３１】
次に、下糸の上に杼（図示しない）を走らせ、上糸と下糸との間に緯糸を配置する。そして、筬１を織布作成者側にトントンと押し付け、緯糸の配置位置を所定の位置に整える。続いて、綜絖を操作して上糸と下糸との配置関係を逆転させる。つまり、上糸を下に押し下げ、下糸を上に押し上げる。
【００３２】
この時、本例では、図３の矢印Ｑに示すように、下糸１３は所定の高さに揃った状態で整列する。筬１では、複数の筬羽３が第一垂直部８において垂直且つ互いに平行に並んでいるので、下糸１３が引っ掛かることなく整列する。なお、図３においては、説明を簡略にするため上糸の図示を省略している。
【００３３】
上糸と下糸との配置関係を逆転させた状態で、再度杼を走らせて緯糸を配置し、筬１を用いて緯糸の整列位置を入れ替える。上記の作業を所定回数繰り返した後、今度は筬１を下側に押し下げ、経糸が第一筬羽６及び第二筬羽７の第二垂直部１０に通るよう調整する。続いて、杼を走らせて緯糸を配置し、筬１を用いて整列させる。上糸と下糸との配置関係を逆転させながら、緯糸を配置する作業を繰り返す。
【００３４】
このようにして、筬１を上下動させながら緯糸を配置していくと、図４に示すような立湧模様５０が形成される。筬１では、第一筬羽６の第一垂直部８に通された経糸は、隣接する経糸との間が０．８ｍｍ（第一間隔１１）となるよう整列する。次に筬１が上下動され、第二垂直部８に通されると、第一間隔１１よりも広く押し広げられた状態（＝第二間隔１２：１．８ｍｍ）で整列する。このように、織り進んでいくに従って経糸の整列間隔が変化することにより、図４に示すような縦に揺らいだ（縞の太さが変化していく）立湧模様５０が形成される。
【００３５】
なお、本例の筬１では、複数の第一筬羽６と複数の第二筬羽７とが交互に並んでいる。これにより、第一筬羽６によって形成される縞の隣には、第二筬羽７によって形成される別の縞模様が現れる。複数の第一筬羽６及び第二筬羽７が交互に備えられていることにより、複数の縞（縞５０ａ、５０ｂ、５０ｃ…）を有するよろけ縞の織布６０が作成できる。
【００３６】
このように、本例の筬１によれば、第一筬羽６及び第二筬羽７は、第一垂直部８及び第二垂直部１０を有している。つまり、従来のよろけ筬のように、縁金５との接続部において八の字形に狭まった隙間が存在しないので、経糸が引っ掛からずにスムーズに上下動する。これにより、上糸と下糸１３との位置を入れ替える際や、筬１を上下動させて立湧模様５０を作成する際に、経糸が引っ掛かることなく所望の整列位置に揃う（図３：矢印Ｑ参照）。従って、伏せのような特殊な装置を用いずによろけ縞の織布６０を作成することができる。
【００３７】
また、特殊な装置を用いずに織布６０を作成できるから、織布６０の作成にかかるコストと手間を効果的に削減することができる。さらに、伏せを操作したり、セットする時間も必要なくなるから、織布６０の生産性が大幅に向上する。
【００３８】
また、本例の筬１によれば、複数の第一筬羽６と第二筬羽７とが交互に並んでいるので、複数本の縞５０ａ、５０ｂ、５０ｃ…を有する織布６０を作成できる。従って、立湧模様５０が一本だけである場合に比べて、華やかで意匠性に富む織布６０を作成できる。
【００３９】
さらに、本例の筬１によれば、筬羽３はステンレス材により作成されている。これにより、精度が高く、且つ耐久性に優れ錆び難い筬１を提供できる。
【００４０】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００４１】
すなわち、本例の筬１によれば、複数の第一筬羽６と複数の第二筬羽７とを有する筬１を例示したが、この構成に限定されるものではない。例えば、複数の第一筬羽６のみを備えるものでも良いし、複数の第二筬羽７のみを備える筬１でも良い。
【００４２】
また、第一筬羽６及び第二筬羽７の幅や厚み、長さ、第一間隔１１及び第二間隔１２について例示した数値は、この値に限定されるものではなく、織布６０の使用に応じて適宜に変更可能である（但し、第一間隔１１と第二間隔１２とは互いに異なることが必要である）。また、第一筬羽６及び第二筬羽７の枚数についても夫々適宜に変更可能である。
【００４３】
さらに、本例の筬１では、筬羽３がステンレス製であるものを例示したが、これ以外の材質を用いても良い。例えば、竹や合成樹脂が例示できる。但し、本例のように金属製（特にステンレス製）の筬羽３を用いることで、筬羽３の屈折角度が自由に精度良く設定することができ、より好適である。
【図面の簡単な説明】
【００４４】
【図１】筬の正面図である。
【図２】筬の一部を拡大した拡大図である。
【図３】筬の使用状態を説明する説明図である。
【図４】よろけ縞の織布の正面図である。
【図５】従来のよろけ筬を示す正面図である。
【図６】従来のよろけ筬の問題点を説明する説明図である。
【符号の説明】
【００４５】
１  筬
２  縁金
３  筬羽
４  上縁金
５  下縁金
６  第一筬羽
７  第二筬羽
８  第一垂直部
９  傾斜部
１０  第二垂直部
１１  第一間隔
１２  第二間隔
【図１】
0003131505.tif 000003
【図２】
0003131505.tif 000004
【図３】
0003131505.tif 000005
【図４】
0003131505.tif 000006
【図５】
0003131505.tif 000007
【図６】
0003131505.tif 000008